(57)【要約】【課題】検索条件を階層構造で分類管理し、自身の所属グループ等意味のある塊で検索条件を管理するデータ検索条件階層管理装置を提供する。【解決手段】検索条件情報を階層化した検索条件階層化情報を表示するツリー階層エリア２ａ、検索条件一覧エリア２ｂ、アクションボタンエリア２ｃに、１画面を画成して表示する表示装置２と、ユーザにより作成されたツリー階層情報をツリー階層エリア２ａに表示するツリー階層情報作成表示手段３と、ツリー階層情報の少なくとも一部が選択されたときに、その選択部に関連付けられた検索条件一覧情報を検索条件一覧エリアに表示する検索条件一覧情報表示手段４と、ユーザ処理要求を実行し、その実行結果を前記アクションボタンエリアに表示するアクションボタン表示手段５と、を具備している。【選択図】  図１
2007108873.tif 000002
【特許請求の範囲】
【請求項１】
所要のデータを検索するための検索条件情報を階層化してなる検索条件階層化情報を表示する検索条件階層化情報表示エリア、前記検索条件の一覧情報を表示する検索条件一覧情報表示エリア、前記検索条件の実行や変更等ユーザの処理要求操作を表示するアクション操作表示エリアに、１画面を画成して表示する表示装置と、
前記検索条件階層化情報をユーザにより作成可能に構成され、このユーザにより作成された検索条件階層化情報を前記検索条件階層化情報表示エリアに表示する検索条件情報作成表示手段と、
前記検索条件階層化情報の一部が選択されたときに、その選択部に関連付けられた検索条件一覧情報を前記検索条件一覧表示エリアに表示する検索条件一覧情報表示手段と、
前記ユーザの処理要求が操作されたときに、そのユーザ処理要求を実行し、その実行結果を前記アクション操作表示エリアに表示するアクション操作表示手段と、
を具備していることを特徴とするデータ検索条件階層管理装置。
【請求項２】
請求項１記載のデータ検索条件階層管理装置において、
前記検索条件階層化情報のユーザによる追加、変更、削除等の変更を可能とする検索条件階層化情報変更手段、
を具備していることを特徴とするデータ検索条件階層管理装置。
【請求項３】
請求項１記載のデータ検索条件階層管理装置において、
前記検索条件一覧情報表示エリアに表示される検索条件情報の並べ方を変更する検索条件一覧情報並び替え手段、
を具備していることを特徴とするデータ検索条件階層管理装置。
【請求項４】
請求項１記載のデータ検索条件階層管理装置において、
前記個別の検索条件または前記検索条件階層化情報に対して検索条件の変更と検索実行を制約するパスワードを設定するパスワード設定手段、
を具備していることを特徴とするデータ検索条件階層管理装置。
【請求項５】
請求項４記載のデータ検索条件階層管理装置において、
一旦設定されたパスワードを強制解除してパスワードによる前記制約を強制的に解除するパスワード強制解除手段、
を具備していることを特徴とするデータ検索条件階層管理装置。
【請求項６】
請求項１記載のデータ検索条件階層管理装置において、
前記検索条件の切り取り、コピー、貼り付け等の編集を行う検索条件編集手段、
を具備していることを特徴とするデータ検索条件階層管理装置。
【請求項７】
請求項６記載のデータ検索条件階層管理装置において、
前記検索条件編集手段により、他人の作成した検索条件情報を自己の検索条件階層化情報にコピーしたときに、この検索条件階層化情報の作成者名を自己名に変更可能とする作成者名変更手段、
を具備していることを特徴とするデータ検索条件階層管理装置。
【請求項８】
請求項１記載のデータ検索条件階層管理装置において、
前記表示装置の１画面に第４の表示エリアとして設けられ、前記検索条件一覧情報のプレビューを表示するプレビュー表示エリアと、
前記検索条件一覧情報の表示が選択されたときに、その出力結果のプレビューを前記プレビュー表示エリアに表示するプレビュー表示手段と、
を具備していることを特徴とするデータ検索条件階層管理装置。
【請求項９】
請求項１記載のデータ検索条件階層管理装置において、
前記検索条件一覧情報を系統図やグラフ等の複数の表示形式により、前記１画面を全画面でそれぞれ表示する複数の機能用検索条件一覧情報表示手段と、
前記アクション操作表示手段に設けられて、所要の表示形式により検索条件一覧情報を画面に表示中に、他の表示形式の表示が選択されたときに、その選択された表示形式の機能用検索条件一覧情報表示手段による表示に画面表示を切り替える画面切替手段と、
を具備していることを特徴とするデータ検索条件階層管理装置。
【発明の詳細な説明】
【技術分野】
【０００１】
本発明は、例えば発電プラント等のプラントデータを履歴データとして収録したデータ処理装置から、所要のプラントデータを検索し抽出するための検索条件を管理するデータ検索条件階層管理装置に関する。
【背景技術】
【０００２】
一般に、発電所は、複数のプラントとこれらプラントに属する複数の機器とを具備しており、各機器には制御用もしくは監視用の各種センサを設けている。これらのセンサにより収集されたプラントデータは履歴データとして履歴データ収録処理装置に収録され、その端末から検索条件を任意に設定することにより、検索結果を各種統計図やグラフ、帳表形式により出力しデータ解析や報告書作成等を行っている（例えば、特許文献１参照）。
【特許文献１】特公平８−１６６１８号公報
【発明の開示】
【発明が解決しようとする課題】
【０００３】
しかしながら、このような従来の履歴データ処理装置の端末により、目的のプラントデータを検索し抽出するための検索条件の設定方法には次のような課題があった。
【０００４】
例えば、ユーザの設定する複数の検索条件を管理保存し、それを整理した形で一覧表示する方法として、１つの表示エリアに単一階層にて検索条件を配置しているので、複数のユーザが目的の検索条件を利用することができる。しかし、マンマシンインターフェース部分は、メーカが作成して納品しているため、ユーザには開放されておらず、ユーザが所属組織等のグループを容易に変更することは不可能であった。
【０００５】
また、プラントデータの検索条件は単一階層により管理されているので、ユーザが階層を追加して階層分類することができなかった。このために、目的とする検索条件自体の探索効率が必ずしも高くないという課題がある。
【０００６】
さらに、プラントデータの検索条件を管理する際は、決められた一意の番号に登録するしかなく、検索条件作成日や検索出力タイプ等でソーティングできないため、自己が作成した検索条件を探索する場合でも、多くの時間を要していた。
【０００７】
その他、自己が作成した検索条件にパスワード等により制約をかけることができないため、自己が作成した検索条件が他人により誤って削除等変更されてしまうケースもあった。
【０００８】
本発明は上記の従来技術の問題を解決するために提案するものであり、その目的は、検索条件を階層構造で分類管理し、自身の所属グループ等意味のある塊で検索条件を管理するデータ検索条件階層管理装置を提供することにある。
【課題を解決するための手段】
【０００９】
本発明に係るデータ検索条件階層管理装置は、所要のデータを検索するための検索条件情報を階層化してなる検索条件階層化情報を表示する検索条件階層化情報表示エリア、前記検索条件の一覧情報を表示する検索条件一覧情報表示エリア、前記検索条件の実行や変更等ユーザの処理要求操作を表示するアクション操作表示エリアに、１画面を画成して表示する表示装置と、前記検索条件階層化情報をユーザにより作成可能に構成され、このユーザにより作成された検索条件階層化情報を前記検索条件階層化情報表示エリアに表示する検索条件情報作成表示手段と、前記検索条件階層化情報の一部が選択されたときに、その選択部に関連付けられた検索条件一覧情報を前記検索条件一覧表示エリアに表示する検索条件一覧情報表示手段と、前記ユーザの処理要求が操作されたときに、そのユーザ処理要求を実行し、その実行結果を前記アクション操作表示エリアに表示するアクション操作表示手段と、を具備していることを特徴とする。
【発明の効果】
【００１０】
本発明によれば、検索条件階層化情報作成表示手段によりユーザが検索条件を階層分類して階層化できるので、ユーザの設定した複数の検索条件を階層的に管理保管することができる。このために、検索条件の探索条件を向上させることができる。
【００１１】
また、複数の検索条件一覧を例えば１つのグループに保管できるので、複数の検索条件一覧を容易に管理し、閲覧することができる。
【発明を実施するための最良の形態】
【００１２】
以下、本発明の実施形態を添付図面に基づいて説明する。なお、これら添付図面中、同一または相当部分には同一符号を付している。
【００１３】
（実施例１）
図１は、本発明の実施例１のデータ検索条件階層管理装置１の全体構成を示す機能ブロック図である。
【００１４】
この図１に示すようにデータ検索条件階層管理装置１は、モニタ等の表示装置２、検索条件階層化情報作成表示手段の一例であるツリー階層情報作成表示手段３、検索条件一覧表示手段４、アクションボタン表示手段５、ツリー階層情報データベース６、検索条件情報データベース７、アクションボタン情報データベース８を具備している。
【００１５】
表示装置２は、１個の表示画面を、同時表示可能の３個の表示エリア、すなわち、ツリー階層エリア２ａ、検索条件一覧エリア２ｂ、アクションボタンエリア２ｃに画成している。
【００１６】
ツリー階層エリア２ａはユーザがツリー階層情報作成表示手段３により作成した検索情報のツリー階層（構造）を表示する表示エリアである。
【００１７】
ツリー階層情報作成表示手段３は、ユーザにより例えば発電プラントの所属組織等の検索情報をツリー階層に分類して作成し得る機能を有し、ここで作成された検索条件階層化情報をツリー階層情報ＤＢ６に蓄積し保存する機能を備えている。検索条件階層化情報は例えば複数の発電所の名称、これら各発電所にそれぞれ所属する下部組織の発電部や保守部等の複数の部、これら部にそれぞれ所属するさらに下部組織の複数のグループや課等発電プラントのツリー構造の所属組織に関する情報等である。
【００１８】
すなわち、ツリー階層情報作成表示手段３は第１階層にルートフォルダをデフォルトとして備え、その下位に、ユーザが自由に所属組織等を任意のフォルダとして作成することができる。フォルダはツリー状の階層構造に作成することが可能であり、ツリー階層の表示または非表示を選択することができる。
【００１９】
検索条件一覧エリア２ｂはツリー階層エリア２ａで選択した所属組織等のフォルダの内容について、複数の検索条件の一覧と階層下のフォルダの一覧が併せて表示される表示エリアである。
【００２０】
検索条件一覧表示手段４は、ツリー階層エリア２ａに表示されたツリー構造の一部であるフォルダが選択され、その選択がツリー階層情報作成表示手段３を介して通知されたときに、その選択されたフォルダに関連付けられた複数の検索条件情報一覧を検索条件情報データベース７から抽出し、検索条件一覧エリア２ｂに表示する機能を有する。検索条件情報データベース７には検索条件階層化情報に関連付けられた検索条件一覧情報が格納蓄積されている。
【００２１】
アクションボタンエリア２ｃは、いわばメニューバーに相当し、検索条件の実行や編集、新規作成等のユーザの処理要求（メニュー）に応じた処理を受付け実行するための複数のアクションボタンが表示されるエリアである。
【００２２】
アクションボタン表示手段５はアクションボタンエリア２ｃに表示される検索条件の実行や編集、新規作成等の表示ボタンが選択されたときに、その表示ボタンが表示する検索条件の実行や編集等の処理を実行する機能を有する。例えば検索条件の実行ボタンがクリック等により選択されると、別途選択されている検索条件がプラントデータ等のデータを収録管理しているサーバ等のデータ収録処理装置に、端末としてアクセスし、この検索条件に適合したプラントデータを抽出し、表示装置２の３つの表示エリア２ｃを統合した全画面でのプラントデータを表示する機能を有する。そして、アクションボタンエリア２ｃに表示される複数のアクションボタンの処理を実行するためのアクションボタン情報はアクションボタン情報データベース８に格納蓄積されている。
【００２３】
次に、このデータ検索条件階層管理装置１の作用を説明する。
【００２４】
まず、アクションボタン表示手段５は表示装置２のアクションボタンエリア２ｃに、検索条件の実行や編集、新規作成等の複数のアクションボタンを表示する。
【００２５】
そこで、例えば「新規作成」のアクションボタンがユーザにより選択されると、その選択がアクションボタン表示手段５により検出され、かつツリー階層情報作成表示手段３に通知される。このために、ツリー階層情報作成表示手段３はツリー階層エリア２ａに、第１階層としてルートフォルダをデフォルトで表示し、その下位層に、ユーザにより自由に所属組織等を任意のフォルダとして作成させる。ここで作成された検索条件階層化情報はツリー階層情報作成表示手段３によりツリー階層情報データベース６に格納蓄積させる。
【００２６】
また、「表示」のアクションボタンがユーザにより選択されると、その選択がアクションボタン表示手段５により検出されてツリー階層情報作成表示手段３に通知される。これにより、ツリー階層情報作成表示手段３はユーザにより作成された検索条件階層化情報をツリー階層エリア２ａに階層表示する。
【００２７】
ここで、ユーザがツリー階層エリア２ａに階層表示された所要のフォルダを選択すると、その選択がツリー手段３により検出され、その選択されたフォルダの下位階層のフォルダ一覧がツリー階層としてツリー階層エリア２ａに表示され、選択通知が検索条件一覧表示手段４に行われる。これにより、検索条件一覧表示手段４は、選択されたフォルダに関連付けられた複数の検索条件一覧を検索条件情報データベース７から抽出し、検索条件一覧エリア２ｂに表示する。この選択されたフォルダの下にさらに下位階層のフォルダがある場合は、その下位階層のフォルダ一覧が検索条件一覧表示手段４により検索条件一覧エリア２ｂに表示される。すなわち、検索条件一覧エリア２ｂに表示された下位階層のフォルダがユーザにより選択されることにより、その選択が検索条件一覧表示手段４に通知され、選択されたフォルダのさらに下位階層の複数の検索条件一覧と、フォルダ一覧が検索条件一覧エリア２ｂに表示されるとともに、ツリー階層作成表示手段３がツリー階層をツリー階層エリア２ａに表示する。
【００２８】
したがって、このデータ検索条件階層管理装置１によれば、ユーザが設定した複数の検索条件を階層的に管理保管でき、複数の検索条件一覧を１つのグループに保管できるため、複数の検索条件一覧を容易に管理、閲覧することができる。このために検索条件の探索条件と探索精度を向上させることができる。
【００２９】
なお、図１では、説明の便宜上、単一の表示装置２のみを示しているが、実際の装置においては、複数の表示装置２がモニタとして配設される。また、図１では、ツリー階層作成表示手段３、検索条件一覧表示手段４、アクションボタン表示手段５について、本発明に係る特徴的な手段や機能部のみを示しているが、実際には、データ収録処理装置の端末としての機能等、他にも多様な手段や機能部、周辺装置等を有することは明らかである。
【００３０】
（実施例２）
図２は、実施例２に係るデータ検索条件階層管理装置１Ａの全体構成を示す機能ブロック図である。この図２に示すようにデータ検索条件階層管理装置１Ａは、図１で示す前記実施例１のデータ検索条件階層管理装置１に、検索条件階層化情報変更手段としてアクションボタン受付手段９とツリー階層・検索条件変更手段１０を付加した点に主な特徴があり、これ以外の構成は前記データ検索条件階層管理装置１とほぼ同様に構成されている。
【００３１】
アクションボタン受付手段９は、ツリー階層エリア２ａと検索条件一覧エリア２ｂにおいて、検索情報のフォルダの追加や変更、削除等の変更を行うための変更アクションボタンをアクションボタンエリア２ｃに追加表示し、この変更アクションボタンが選択されたときに、その変更要求を受け付け、その変更要求をツリー階層・検索条件変更手段１０に通知する機能を有する。この変更要求通知を受けたツリー階層・検索条件変更手段１０は、現在選択されているフォルダの下の階層に関連付けて、任意の名称でツリー階層情報データベース６に登録する。このツリー階層情報データベース６への登録が完了すると、ツリー階層情報作成表示手段３と検索条件一覧表示手段４へ変更完了を通知し、ツリー階層表示エリア２ａにはツリー階層情報作成表示手段３が現在表示しているツリー階層のフォルダを変更して表示し、検索条件一覧エリア２ｂには、検索条件一覧表示手段４により現在表示されている検索条件一覧情報にフォルダを変更して表示する。
【００３２】
したがって、ツリー階層エリア２ａ、または検索条件一覧エリア２ｂで表示されているツリー階層のフォルダの変更を行うためには、ツリー階層エリア２ａ、または検索条件一覧エリア２ｂにおいて、ツリー階層の変更対象のフォルダを選択し、その後、アクションボタンエリア２ｃに設けられたツリー階層変更のアクションボタンを選択し、または、マウスなどの右クリックにより、アクションボタン操作と同等の処理を実行することにより、アクションボタン受付手段９にツリー階層の変更アクションが通知され実行が受け付けられる。その変更要求に基づいてツリー階層・検索条件変更手段１０によりフォルダ変更やファイル変更の対話画面が表示される。ユーザが検索条件のフォルダやファイルの内容変更を実施したときに、ツリー階層・検索条件変更手段１０はツリー階層情報データベース６のツリー階層情報の変更対象フォルダを変更する。このツリー階層情報データベース６への変更が完了した後は、ツリー階層作成表示手段３、検索条件一覧表示手段４へ変更完了の通知が行われ、ツリー階層表示エリア２ａにはツリー階層作成表示手段３により現在表示されているツリー階層の対象フォルダが変更されて表示され、検索条件一覧エリア２ｂには検索条件一覧表示手段４により現在表示されている一覧の対象フォルダまたはファイルが変更して表示される。
【００３３】
したがって、このデータ検索条件階層管理装置１Ａによれば、ユーザにより一旦作成された検索条件のツリー階層とその検索条件自体を再びユーザにより容易に追加・変更・削除等の変更を行うことが可能である。
【００３４】
（実施例３）
図３は、本発明の実施例３のデータ検索条件階層管理装置１Ｂの全体構成を示す機能ブロック図である。この図３に示すようにデータ検索条件階層管理装置１Ｂは、図２で示す前記実施例２のデータ検索条件階層管理装置１Ａに、検索条件一覧並び替え手段１１、検索条件一覧一時保存データベース１２を付加する一方、前記データ検索条件階層管理装置１Ａのツリー階層・検索条件変更手段１０を、検索条件名称等変更手段１３に置換し、アクションエリア２ｃに名称等変更ボタンの表示を追加した点に特徴がある。
【００３５】
すなわち、データ検索条件階層管理装置１Ｂは、アクションボタンエリア２ｃに、検索条件の名称等の削除や追加、変更などの変更を要求する名称等の追加や削除、変更の変更ボタンを追加表示させる。ここで名称等としては、検索条件を示す名称、検索出力のタイプ、条件を作成した日付、条件を実行した日付、作成者名等の書誌的事項であり、これらを定義した検索条件情報は検索条件情報データベース７に格納蓄積されている。
【００３６】
したがって、アクションボタンエリア２ｃにおいて表示されている名称等変更ボタンがユーザにより選択されると、その選択通知がアクションボタン受付手段９により受け付けられてから、検索条件名称等変更手段１３に与えられ、ここで、検索条件を示す名称、検索出力のタイプ、条件を作成した日付、作成者名等の書誌的事項が追加、変更等の変更が実行され、その変更情報が検索情報データベース７に保存される。検索条件一覧表示手段４は検索条件名称等変更手段１３からの通知を受けて、検索条件を示す名称、検索出力タイプ、検索条件を作成した日付、条件を実行した日付、作成者名を検索条件情報データベース７から取り出し、検索条件一覧エリア２ｂに表示すると共に、検索条件一覧一時保存データベース１２にも保存する。アクションボタン受付手段９は検索条件一覧エリア２ｃに検索条件一覧並び替えボタンを各一覧項目に割り当てて表示させており、その一覧並び替えボタンが選択されたときに、検索条件一覧並び替え手段１１は、検索条件一覧一時保存データベース１２から検索条件一覧を取り出し、並び替え対象の項目に対して並び替え処理を行った後、検索条件一覧エリア２ｃに表示する。
【００３７】
したがって、データ検索条件階層管理装置１Ｂによれば、検索条件の名称等書誌的事項の追加、削除、変更等の変更が可能になるうえに、一覧表示項目によって、検索条件の一覧の並び替えを容易に行うことができる。
【００３８】
（実施例４）
図４は、本発明の実施例４のデータ検索条件階層管理装置１Ｃの全体構成を示す機能ブロック図である。図４に示すようにデータ検索条件階層管理装置１Ｃは、図２で示すデータ検索条件階層管理装置１Ａに、ユーザ認証手段１４、ユーザ認証情報データベース１５を追加し、パスワード設定ボタンをアクションボタンの１つとして追加した点に主な特徴を有する。
【００３９】
すなわち、ユーザが個別の検索条件あるいは複数の検索条件をまとめた階層フォルダを選択した後、アクションボタンエリア２ｃに表示されているパスワード設定のアクションボタンを実行したり、マウスなどのポインティングマシンの例えば右クリックにより、アクションボタン操作と同等のパスワード設定の選択を実行すると、アクションボタン受付手段９にパスワード設定アクションが通知され実行が受け付けられ、ユーザ認証手段１４によりパスワード設定の入力を促す画面が表示される。これにより、ユーザがパスワードを入力すると、ユーザ認証手段１４はユーザ認証情報データベース１５に保管されているパスワード設定対象の個別検索条件あるいは、階層フォルダ情報に対してパスワードを設定する。個別の検索条件のパスワード設定は、検索条件の変更についてパスワードを設定するか、検索条件の実行、及び変更についてパスワードを設定するかの選択が可能である。階層フォルダのパスワード設定は、階層下の一覧の表示実行についてパスワードの設定が可能である。
【００４０】
パスワードが設定された個別の検索条件あるいは階層フォルダを選択して、アクションボタンエリア２ｃに表示されている検索条件の実行、設定、削除等のアクションボタンを実行し、またはマウスなどのダブルクリックなどにより、アクションボタンと同等の処理を実行することで、アクションボタン受付手段９に実行、設定、削除アクションがそれぞれ通知され、これら実行、設定、削除が受け付けられる。このために、ユーザ認証手段１４によりパスワード入力画面がアクションボタンエリア２ｃで表示される。そこで、ユーザがパスワードを入力すると、ユーザ認証手段１４はユーザ認証情報データベース１５で保存されているパスワード設定対象の個別検索条件あるいは、階層フォルダ情報に対してパスワードの認証を行う。入力したパスワードに対して認証が成立した場合は、処理がツリー階層情報作成表示手段３、検索条件一覧表示手段４、ツリー階層・検索条件変更手段１０に移り、各処理を実行する。なお、ユーザが入力したパスワードに対して認証が不成立であるとユーザ認証手段１４が判断した場合は、ユーザ認証手段１４がパスワード不正のエラーメッセージをアクションボタンエリア２ｃに表示してパスワード設定の処理を実行しない。
【００４１】
したがって、このデータ検索条件階層管理装置１Ｃによれば、各ユーザが作成した個別の検索条件や階層フォルダを他人に操作されないように、パスワードにより容易に保護することができる。すなわち、検索条件情報のセキュリティーを向上させることができる。
【００４２】
（実施例５）
図５は、本発明の実施例５のデータ検索条件階層管理装置１Ｄの全体構成を示す機能ブロック図である。図５に示すようにこのデータ検索条件階層管理装置１Ｄは、図１で示す実施例１のデータ検索条件階層管理装置１に、検索条件コピー手段１６、検索条件貼り付け手段１７、検索条件一時保存情報データベース１８を付加し、アクションボタンエリア２ｃに、コピーアクションボタンと切り取りアクションボタンの表示を追加した点に主な特徴がある。
【００４３】
したがって、ユーザが個別の検索条件あるいは複数の検索条件をまとめた階層フォルダを選択後、アクションボタンエリア２ｃに表示されているコピー実行または、切り取り実行のアクションボタンを選択し、またはマウスなどの右クリックにより、これらアクションボタン操作と同等の処理を選択すると、その選択が検索条件コピー手段１６に通知され、コピーまたは切り取り要求が受け付けられる。また、その要求は検索条件一時保存情報データベース１８に保存され、検索条件コンピュータ手段１６、検索条件貼り付け手段１７がこれらコピーまたは切り取りを実行し、さらに検索条件一次保存情報データベース１８に一時保存した検索条件データを検索条件情報データベース７と、ツリー階層情報データベース６にデータを反映させ、貼り付けた結果は検索条件一覧表示手段４とツリー階層情報作成表示手段３により検索条件一覧エリア２ｃとツリー階層エリア２ａに表示される。
【００４４】
したがって、このデータ検索条件階層管理装置１Ｄによれば、他人により作成され、または既存の検索条件を、自己用または新たに作り直す場合等には、既存の検索条件の切り取りやコピー、貼り付けを行うことが可能となる。このために、個別の検索条件やツリー階層を作成する場合の作業能率を向上させることができる。
【００４５】
（実施例６）
図６は、本発明の実施例６のデータ検索条件階層管理装置１Ｅの全体構成を示す機能ブロック図である。図６に示すようにこのデータ検索条件階層管理装置１Ｅは、図５で示す実施例５のデータ検索条件階層管理装置１Ｄに、ログインユーザ情報データベース１９を付加した点に主な特徴を有する。
【００４６】
すなわち、ログインユーザ情報データベース１９は検索条件の作成者をログインユーザ情報として保存するデータベースであり、検索条件貼り付け手段１７により、既存の検索条件等の貼り付けを行う際、その検索条件貼り付け手段１７によりログインユーザ情報データベース１９からログインユーザ情報を参照し、貼り付け先の検索条件の作成者名等をログインユーザ情報データベース１９から取得した作成者名等に置き替えて貼り付け、結果を検索条件一覧エリア２ｂに表示する。
【００４７】
したがって、このデータ検索条件階層管理装置１Ｅによれば、他人が作成した等既存の検索条件を自己用や新作用等に再利用して作成する際、検索条件の作成者名を自分の名前に自動的に置き替えることが可能となる。
【００４８】
（実施例７）
図７は、本発明の実施例７のデータ検索条件階層管理装置１Ｆの全体構成を示す機能ブロック図である。図７に示すようにデータ検索条件階層管理装置１Ｆは、図２で示す実施例２のデータ検索条件階層管理装置１Ａに、プレビューエリア２ｄ、プレビュー表示手段２０、プレビュー表示データ作成手段２１、プレビュー表示データ一時保存情報データベース２２を付加し、プレビュー表示ボタンをアクションボタンとして追加した点に主な特徴を有する。
【００４９】
プレビュー表示データ作成手段２１は所要の検索条件またはツリー階層のプレビューを作成し、プレビュー表示データ一時保存情報データベース２２に保存するものである。プレビュー表示手段２０は、アクションボタンエリア２ｃに表示されているプレビュー表示ボタンが選択されたときに、プレビュー表示データ作成手段２１により作成されたプレビューを表示装置２０のプレビューエリア２ｄに表示するものである。
【００５０】
したがって、ユーザが検索条件一覧エリア２ｂから任意の検索条件を選択し、プレビュー表示ボタンを選択すると、予めプレビュー表示データ作成手段２１により作成されたプレビューが、プレビュー表示データ一時保存情報データベース２２から選択抽出し、プレビュー表示手段２０によりプレビューエリア２ｄにプレビューの内容が表示される。
【００５１】
また、ユーザはアクションボタンエリア２ｃに表示されている変更アクションボタンを選択することにより、その変更通知がアクションボタン受付手段９を介してツリー階層・検索条件変更手段１０に与えられる。このために、ツリー階層・検索条件変更手段１０は検索条件を示す名称、検索出力のタイプ、条件を作成した日付、条件を実行した日付、作成者名を検索条件情報データベース７に保存すると同時に、プレビュー表示データ作成手段２１を起動し、該当する検索条件のプレビューデータを作成し、プレビュー表示データ一時保存情報データベース２２に保存する。
【００５２】
したがって、データ検索条件階層管理装置１Ｆによれば、検索条件一覧表示から所要の検索条件を選択することにより、検索条件のプレビューを表示することができるので、このプレビューを閲覧することにより、検索結果の出力概要を把握することが可能となる。このために、設定されているポイント情報や検索期間等、検索条件を見なくてもある程度内容を把握することができるため、実際に検索を実行する際に自分が意図しない結果となることを未然に防止することが可能である。
【００５３】
（実施例８）
図８は、本発明の実施例８のデータ検索条件階層管理装置１Ｇの全体構成を示す機能ブロック図である。図８に示すようにデータ検索条件階層管理装置１Ｇは、図４で示す実施例４のデータ検索条件階層管理装置１Ｃにおいて、そのアクションボタン受付手段９、ユーザ認証手段１４、ユーザ認証情報データベース１５に、一旦設定されたパスワードを強制的に解除させる強制解除手段の一例であるスーパーユーザパスワード機能を付与することにより、アクションボタン受付手段９Ｓ、ユーザ認証手段１４Ｓ、ユーザ認証情報データベース１５Ｓにそれぞれ構成し、アクションボタンエリア２ｃにスーパーユーザパスワードボタンの表示を追加した点に主な特徴を有する。
【００５４】
したがって、検索条件情報データベース７とツリー階層情報データベース６にパスワード設定がされている場合、その情報にアクセスするためには正しいパスワードを入力し、そのパスワードが正しくないとアクセスは許可されない。しかし、アクションボタンエリア２ｃで表示されているスーパーユーザパスワードボタンを選択することにより、これらパスワードをアクションボタン受付手段９Ｓにより受け付け、ユーザ認証手段１４Ｓにより強制的に解除することが可能となる。パスワード強制解除とその履歴はユーザ認証情報データベース１５Ｓに保存される。
【００５５】
したがって、このデータ検索条件階層管理装置１Ｇによれば、各ユーザが作成した個別の検索条件や階層フォルダにパスワードが設定されている場合、その担当者が移動等で不在となったとき等の場合には、その検索条件等の情報にアクセスできなくなるが、スーパーユーザパスワードを設けることにより強制的にパスワードを解除できるため、再びその情報にアクセスすることができる。
【００５６】
（実施例９）
図９は、本発明の実施例９のデータ検索条件階層管理装置１Ｈの全体構成を示す機能ブロック図である。図９に示すようにデータ検索条件階層管理装置１Ｈは、前記各実施例のデータ検索条件階層管理装置１〜１Ｇに、図１から図８で示す表示装置２の表示画面２ｘの表示エリアを複数のエリア２ａ〜２ｄに画成せずに１画面として使用し、プラント系統図、グラフ図、帳表図等複数の表示形式によりプラントデータを全画面で一覧表示するＡ，Ｂ，Ｃ機能用一覧画面表示手段２３，２４，２５と、これらＡ，Ｂ，Ｃ機能用一覧画面表示手段２３，２４，２５により表示画面２ｘにそれぞれ表示されている画面を切り替える一覧画面切替え手段２６を付加し、表示画面２の表示エリアに、画面切替アクションボタンの表示を追加した点に特徴がある。
【００５７】
したがって、表示画面２ｘのメニュー画面で任意の表示機能Ａ〜Ｃのいずれかを選択すると、Ａ，Ｂ，Ｃ機能用一覧画面表示手段２３，２４，２５のいずれかによりそれぞれＡ機能用一覧画面、Ｂ機能用一覧画面、Ｃ機能用一覧画面がそれぞれ表示されるが、メニュー画面で表示中の画面と異なる他画面を選択すると、一覧画面切替手段２６により他の一覧画面に切り替えられる。
【００５８】
したがって、このデータ検索条件階層管理装置１Ｈによれば、メニュー画面から一覧画面への展開の他に一覧画面から他機能の一覧画面に横展開することが可能となり、機能を切り替える都度メニュー画面に戻る必要がなく、画面切替の操作性が向上する。
【図面の簡単な説明】
【００５９】
【図１】本発明の実施例１に係るデータ検索条件階層管理装置の全体構成を示す機能ブロック図。
【図２】本発明の実施例２に係るデータ検索条件階層管理装置の全体構成を示す機能ブロック図。
【図３】本発明の実施例３に係るデータ検索条件階層管理装置の全体構成を示す機能ブロック図。
【図４】本発明の実施例４に係るデータ検索条件階層管理装置の全体構成を示す機能ブロック図。
【図５】本発明の実施例５に係るデータ検索条件階層管理装置の全体構成を示す機能ブロック図。
【図６】本発明の実施例６に係るデータ検索条件階層管理装置の全体構成を示す機能ブロック図。
【図７】本発明の実施例７に係るデータ検索条件階層管理装置の全体構成を示す機能ブロック図。
【図８】本発明の実施例８に係るデータ検索条件階層管理装置の全体構成を示す機能ブロック図。
【図９】本発明の実施例９に係るデータ検索条件階層管理装置の全体構成を示す機能ブロック図。
【符号の説明】
【００６０】
１，１Ａ，１Ｂ，１Ｃ，１Ｄ，１Ｅ，１Ｆ，１Ｇ  データ検索条件階層管理装置
２  表示装置
２ａ  ツリー階層エリア
２ｂ  検索条件一覧エリア
２ｃ  アクションボタンエリア
３  ツリー階層情報作成表示手段
４  検索条件一覧表示手段
５  アクションボタン表示手段
６  ツリー階層情報データベース
７  検索条件情報データベース
８  アクションボタン情報データベース
９  アクションボタン受付手段
１０  ツリー階層・検索条件変更手段
１１  検索条件一覧並び替え手段
１２  検索条件一覧一時保存データベース
１３  検索条件名称等変更手段
１４  ユーザ認証手段
１５  ユーザ認証データベース
１６  検索条件コピー手段
１７  検索条件貼付け手段
１８  検索条件一時保存情報データベース
１９  ログインユーザ情報データベース
２０  プレビュー表示手段
２１  プレビュー表示データ作成手段
２２  プレビュー表示一時保存データベース
２３  Ａ機能用一覧画面表示手段
２４  Ｂ機能用一覧画面表示手段
２５  Ｃ機能用一覧画面表示手段
２６  一覧画面切替手段
【図１】
2007108873.tif 000003
【図２】
2007108873.tif 000004
【図３】
2007108873.tif 000005
【図４】
2007108873.tif 000006
【図５】
2007108873.tif 000007
【図６】
2007108873.tif 000008
【図７】
2007108873.tif 000009
【図８】
2007108873.tif 000010
【図９】
2007108873.tif 000011